(57)【特許請求の範囲】
【請求項１】
第１センター装置と、第２センター装置と、端末装置とを備える案内システムであって、
前記第１センター装置は、地図上の登録地点を特定する情報であって、少なくとも前記登録地点の住所名を含む情報である登録地点特定情報を格納する登録地点特定情報格納手段、を備え、
前記第２センター装置は、地図上のＰＯＩを特定する情報であって、少なくともＰＯＩの住所コードを含む情報であるＰＯＩ特定情報を格納するＰＯＩ特定情報格納手段、を備え、
前記端末装置は、前記登録地点及び前記ＰＯＩを検索する要求である地点検索要求であって、少なくとも住所名及び住所コードを含む地点検索要求を送信する送信手段、を備え、
前記案内システムは、
前記端末装置の前記送信手段が送信した前記地点検索要求を受信する受信手段と、
前記受信手段が受信した前記地点検索要求に含まれている住所名に基づいて、前記第１センター装置の前記登録地点特定情報格納手段が格納している前記登録地点特定情報を参照して、前記登録地点を検索し、且つ、前記受信手段が受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索手段と、
前記検索手段が検索した前記登録地点及び前記ＰＯＩを、前記端末装置において案内する案内手段と、を備え、
前記端末装置は、
地図上の住所名を特定する住所名特定情報と地図上の住所コードを特定する住所コード特定情報とを互いに対応付けて格納する住所情報格納手段と、
住所名の入力を受け付ける入力手段と、を備え、
前記端末装置の前記送信手段は、前記端末装置の前記住所情報格納手段が格納している情報に基づいて、前記入力手段が受け付けた住所名に対応する住所コードを特定し、特定した住所コードと前記入力手段が受け付けた住所名とを含む前記地点検索要求を生成し、生成した前記地点検索要求を送信する、
案内システム。
【請求項２】
前記第１センター装置の前記登録地点特定情報格納手段は、前記端末装置の各ユーザに対応する前記登録地点を特定する情報と、前記端末装置を識別するための装置識別情報と、を関連付けて前記登録地点特定情報として格納し、
前記端末装置の前記送信手段は、前記装置識別情報を更に含む前記地点検索要求を送信し、
前記案内システムの前記検索手段は、前記ＰＯＩと、前記端末装置の前記送信手段が送信した前記地点検索要求に含まれている前記装置識別情報が識別する前記端末装置のユーザに対応する前記登録地点と、を検索する、
請求項１に記載の案内システム。
【請求項３】
第１センター装置と、第２センター装置と、端末装置とを備える案内システムの案内方法であり、
前記第１センター装置は、地図上の登録地点を特定する情報であって、少なくとも前記登録地点の住所名を含む情報である登録地点特定情報を格納する登録地点特定情報格納手段、を備え、
前記第２センター装置は、地図上のＰＯＩを特定する情報であって、少なくともＰＯＩの住所コードを含む情報であるＰＯＩ特定情報を格納するＰＯＩ特定情報格納手段、を備え、
前記端末装置は、前記登録地点及び前記ＰＯＩを検索する要求である地点検索要求であって、少なくとも住所名及び住所コードを含む地点検索要求を送信する送信手段、を備える案内方法であって、
受信手段が、前記端末装置の前記送信手段が送信した前記地点検索要求を受信する受信ステップと、
検索手段が、前記受信ステップにおいて受信した前記地点検索要求に含まれている住所名に基づいて、前記第１センター装置の前記登録地点特定情報格納手段が格納している前記登録地点特定情報を参照して、前記登録地点を検索し、且つ、前記受信ステップにおいて受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索ステップと、
案内手段が、前記検索ステップにおいて検索した前記登録地点及び前記ＰＯＩを、前記端末装置において案内ステップと、を含み、
前記端末装置は、
地図上の住所名を特定する住所名特定情報と地図上の住所コードを特定する住所コード特定情報とを互いに対応付けて格納する住所情報格納手段と、
住所名の入力を受け付ける入力手段と、を備え、
前記端末装置の前記送信手段は、前記端末装置の前記住所情報格納手段が格納している情報に基づいて、前記入力手段が受け付けた住所名に対応する住所コードを特定し、特定した住所コードと前記入力手段が受け付けた住所名とを含む前記地点検索要求を生成し、生成した前記地点検索要求を送信する、
案内方法。
【請求項４】
第１センター装置と、第２センター装置と、端末装置とを備える案内システムの案内プログラムであり、
前記第１センター装置は、地図上の登録地点を特定する情報であって、少なくとも前記登録地点の住所名を含む情報である登録地点特定情報を格納する登録地点特定情報格納手段、を備え、
前記第２センター装置は、地図上のＰＯＩを特定する情報であって、少なくともＰＯＩの住所コードを含む情報であるＰＯＩ特定情報を格納するＰＯＩ特定情報格納手段、を備え、
前記端末装置は、前記登録地点及び前記ＰＯＩを検索する要求である地点検索要求であって、少なくとも住所名及び住所コードを含む地点検索要求を送信する送信手段、を備え、
コンピュータを、
前記端末装置の前記送信手段が送信した前記地点検索要求を受信する受信手段と、
前記受信手段が受信した前記地点検索要求に含まれている住所名に基づいて、前記第１センター装置の前記登録地点特定情報格納手段が格納している前記登録地点特定情報を参照して、前記登録地点を検索し、且つ、前記受信手段が受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索手段と、
前記検索手段が検索した前記登録地点及び前記ＰＯＩを、前記端末装置において案内する案内手段と、として機能させ、
前記端末装置は、
地図上の住所名を特定する住所名特定情報と地図上の住所コードを特定する住所コード特定情報とを互いに対応付けて格納する住所情報格納手段と、
住所名の入力を受け付ける入力手段と、を備え、
前記端末装置の前記送信手段は、前記端末装置の前記住所情報格納手段が格納している情報に基づいて、前記入力手段が受け付けた住所名に対応する住所コードを特定し、特定した住所コードと前記入力手段が受け付けた住所名とを含む前記地点検索要求を生成し、生成した前記地点検索要求を送信する、
案内プログラム。
【発明の詳細な説明】
【技術分野】
【０００１】
本発明は、案内システム、案内方法、及び案内プログラムに関する。
【背景技術】
【０００２】
従来、車載端末に登録されている検索対象施設を検索するための技術として、行政区画に対応付けられているコードであるエリアコードを用いて検索対象施設を絞り込んだ上で、施設名の如きキーワードを用いて検索対象施設を検索する技術（例えば、特許文献１参照）が知られていた。
【０００３】
一方、従来、車載端末からの検索要求に応じて、車載端末に情報を提供するための外部コンテンツプロバイダの外部装置において、地図上のＰＯＩ（Ｐｏｉｎｔ  Ｏｆ  Ｉｎｔｅｒｅｓｔ）の情報を検索し、また、車載端末に情報を提供するためのデータセンターのセンター装置において、予め車載端末から送信されて登録された地図上の登録地点の情報を検索した上で、これらの検索したＰＯＩの情報及び登録地点の情報を、車載端末に提供するサービスが知られていた。そして、この従来のサービスにおいては、車載端末が、検索要求としてキーワードとエリアコードとを送信し、外部装置及びセンター装置が、特許文献１の技術における処理と同様な処理を行って、すなわち、送信された検索要求におけるエリアコードを用いて、ＰＯＩの情報及び登録地点の情報を絞り込んだ上で、キーワードを用いて検索を行っていた。
【先行技術文献】
【特許文献】
【０００４】
【特許文献１】特開２００８−２４９４８７号公報
【発明の概要】
【発明が解決しようとする課題】
【０００５】
しかしながら、前述の従来のサービスに用いられている外部装置のＰＯＩにおいては、エリアコードが直接的に対応付けられていたが、センター装置の登録地点においては、エリアコードではなく行政区画の名称（例えば、住所の名称）が直接的に対応付けられていたために、車載端末からの検索要求に応じて絞り込み検索を行うために、エリアコードと行政区画の最新の名称とを対応付けるための情報であるコード管理情報を格納するコード管理情報データベースを、センター装置に設ける必要があり、ＰＯＩの情報及び登録地点の情報を絞り込み検索するために必要なリソースが増大してしまう可能性があった。
【０００６】
本発明は、上記に鑑みてなされたものであって、リソースを低減することが可能となる案内システム、案内方法、及び案内プログラムを提供することを目的とする。
【課題を解決するための手段】
【０００７】
上述した課題を解決し、目的を達成するために、本発明に係る案内システムは、第１センター装置と、第２センター装置と、端末装置とを備える案内システムであって、前記第１センター装置は、地図上の登録地点を特定する情報であって、少なくとも前記登録地点の住所名を含む情報である登録地点特定情報を格納する登録地点特定情報格納手段、を備え、前記第２センター装置は、地図上のＰＯＩを特定する情報であって、少なくともＰＯＩの住所コードを含む情報であるＰＯＩ特定情報を格納するＰＯＩ特定情報格納手段、を備え、前記端末装置は、前記登録地点及び前記ＰＯＩを検索する要求である地点検索要求であって、少なくとも住所名及び住所コードを含む地点検索要求を送信する送信手段、を備え、前記案内システムは、前記端末装置の前記送信手段が送信した前記地点検索要求を受信する受信手段と、前記受信手段が受信した前記地点検索要求に含まれている住所名に基づいて、前記第１センター装置の前記登録地点特定情報格納手段が格納している前記登録地点特定情報を参照して、前記登録地点を検索し、且つ、前記受信手段が受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索手段と、前記検索手段が検索した前記登録地点及び前記ＰＯＩを、前記端末装置において案内する案内手段と、を備え、前記端末装置は、地図上の住所名を特定する住所名特定情報と地図上の住所コードを特定する住所コード特定情報とを互いに対応付けて格納する住所情報格納手段と、住所名の入力を受け付ける入力手段と、を備え、前記端末装置の前記送信手段は、前記端末装置の前記住所情報格納手段が格納している情報に基づいて、前記入力手段が受け付けた住所名に対応する住所コードを特定し、特定した住所コードと前記入力手段が受け付けた住所名とを含む前記地点検索要求を生成し、生成した前記地点検索要求を送信する。
【０００８】
また、本発明に係る案内方法は、第１センター装置と、第２センター装置と、端末装置とを備える案内システムの案内方法であり、前記第１センター装置は、地図上の登録地点を特定する情報であって、少なくとも前記登録地点の住所名を含む情報である登録地点特定情報を格納する登録地点特定情報格納手段、を備え、前記第２センター装置は、地図上のＰＯＩを特定する情報であって、少なくともＰＯＩの住所コードを含む情報であるＰＯＩ特定情報を格納するＰＯＩ特定情報格納手段、を備え、前記端末装置は、前記登録地点及び前記ＰＯＩを検索する要求である地点検索要求であって、少なくとも住所名及び住所コードを含む地点検索要求を送信する送信手段、を備える案内方法であって、受信手段が、前記端末装置の前記送信手段が送信した前記地点検索要求を受信する受信ステップと、検索手段が、前記受信ステップにおいて受信した前記地点検索要求に含まれている住所名に基づいて、前記第１センター装置の前記登録地点特定情報格納手段が格納している前記登録地点特定情報を参照して、前記登録地点を検索し、且つ、前記受信ステップにおいて受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索ステップと、案内手段が、前記検索ステップにおいて検索した前記登録地点及び前記ＰＯＩを、前記端末装置において案内ステップと、を含み、前記端末装置は、地図上の住所名を特定する住所名特定情報と地図上の住所コードを特定する住所コード特定情報とを互いに対応付けて格納する住所情報格納手段と、住所名の入力を受け付ける入力手段と、を備え、前記端末装置の前記送信手段は、前記端末装置の前記住所情報格納手段が格納している情報に基づいて、前記入力手段が受け付けた住所名に対応する住所コードを特定し、特定した住所コードと前記入力手段が受け付けた住所名とを含む前記地点検索要求を生成し、生成した前記地点検索要求を送信する。
【０００９】
また、本発明に係る案内プログラムは、第１センター装置と、第２センター装置と、端末装置とを備える案内システムの案内プログラムであり、前記第１センター装置は、地図上の登録地点を特定する情報であって、少なくとも前記登録地点の住所名を含む情報である登録地点特定情報を格納する登録地点特定情報格納手段、を備え、前記第２センター装置は、地図上のＰＯＩを特定する情報であって、少なくともＰＯＩの住所コードを含む情報であるＰＯＩ特定情報を格納するＰＯＩ特定情報格納手段、を備え、前記端末装置は、前記登録地点及び前記ＰＯＩを検索する要求である地点検索要求であって、少なくとも住所名及び住所コードを含む地点検索要求を送信する送信手段、を備え、コンピュータを、前記端末装置の前記送信手段が送信した前記地点検索要求を受信する受信手段と、前記受信手段が受信した前記地点検索要求に含まれている住所名に基づいて、前記第１センター装置の前記登録地点特定情報格納手段が格納している前記登録地点特定情報を参照して、前記登録地点を検索し、且つ、前記受信手段が受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索手段と、前記検索手段が検索した前記登録地点及び前記ＰＯＩを、前記端末装置において案内する案内手段と、として機能させ、前記端末装置は、地図上の住所名を特定する住所名特定情報と地図上の住所コードを特定する住所コード特定情報とを互いに対応付けて格納する住所情報格納手段と、住所名の入力を受け付ける入力手段と、を備え、前記端末装置の前記送信手段は、前記端末装置の前記住所情報格納手段が格納している情報に基づいて、前記入力手段が受け付けた住所名に対応する住所コードを特定し、特定した住所コードと前記入力手段が受け付けた住所名とを含む前記地点検索要求を生成し、生成した前記地点検索要求を送信する。
【発明の効果】
【００１０】
本発明に係る案内システム、案内方法、及び案内プログラムによれば、地点検索要求に含まれている住所名に基づいて、第１センター装置の登録地点特定情報格納手段が格納している登録地点特定情報を参照して、登録地点を検索し、且つ、受信手段が受信した地点検索要求に含まれている住所コードに基づいて、第２センター装置のＰＯＩ特定情報格納手段が格納しているＰＯＩ特定情報を参照して、ＰＯＩを検索することから、例えば、地点探索要求に含まれている情報を直接的に利用して登録地点及びＰＯＩを検索することができるので、地点検索要求に含まれる情報を変換するための装置が不要となり、案内システムのリソースを低減することができる。
【図面の簡単な説明】
【００１１】
【図１】本発明の実施の形態に係る案内システムを例示するブロック図である。
【図２】住所情報を例示した図である。
【図３】登録地点特定情報を例示した図である。
【図４】第２センター装置側地点情報を例示した図である。
【図５】ポリゴン座標情報を例示した図である。
【図６】案内処理のフローチャートである。
【発明を実施するための形態】
【００１２】
以下、本発明に係る案内システム、案内方法、及び案内プログラムの実施の形態について図面を参照しつつ詳細に説明する。ただし、実施の形態によって本発明が限定されるものではない。
【００１３】
本発明に係る案内システムは、第１センター装置と、第２センター装置と、端末装置とを備え、地点検索要求に含まれている住所名に基づいて、第１センター装置の登録地点特定情報格納手段が格納している登録地点特定情報を参照して、登録地点を検索し、且つ、地点検索要求に含まれている住所コードに基づいて、第２センター装置のＰＯＩ特定情報格納手段が格納しているＰＯＩ特定情報を参照して、ＰＯＩを検索し、検索した登録地点及びＰＯＩを、端末装置において案内するシステムである。
【００１４】
ここで、「第１センター装置」とは、センター側の装置であって、端末装置に対して通信可能となっている装置であり、具体的には、登録地点特定情報を格納している登録地点特定情報格納手段を備えている装置であり、例えば、データセンターに設けられている装置等である。「登録地点特定情報」とは、登録地点を特定する情報であり、具体的には、端末装置を一意に識別するための情報である装置識別情報（以下、装置ＩＤ）、登録地点の名称を特定する情報である登録地点名称情報、登録地点の座標を特定する情報である登録地点座標情報、又は、登録地点の住所名を特定する情報である登録地点住所名情報等を含む登録地点に関する情報のうちの、少なくとも登録地点住所名情報を含む情報である。なお、「登録地点の名称」とは、登録地点に付されている名称であり、「登録地点の座標」とは、登録地点の経度及び緯度の座標であり、「登録地点の住所名」とは、登録地点の住所の名称である。「住所」とは、施設の所在地を特定するものであり、例えば、「都道府県」、「市区、郡町村」、「大字、通称」、「丁目、字、小字、通称」等の階層に分けられているものである。「登録地点」とは、地図上において登録された地点であって、端末装置を介してユーザによって登録された地点であり、例えば、地図上におけるユーザによって指定されて記録された地点であるメモリ地点、後述する自車両が走行するべきルートである走行ルートの最終の目的となる地点である目的地、又は、走行ルートの目的地に至る前に経由するべき地点である中間目的地等に対応している。
【００１５】
また、「第２センター装置」とは、センター側の装置であって、第１センター装置に対して通信可能となっている装置であり、具体的には、ＰＯＩ（Ｐｏｉｎｔ  Ｏｆ  Ｉｎｔｅｒｅｓｔ）特定情報を格納しているＰＯＩ特定情報格納手段を備えている装置であり、例えば、外部コンテンツプロバイダに設けられている装置等である。「ＰＯＩ特定情報」とは、ＰＯＩを特定する情報であり、具体的には、ＰＯＩの名称を特定する情報であるＰＯＩ名称情報、ＰＯＩのジャンルを特定する情報であるＰＯＩジャンル情報、ＰＯＩの座標を特定する情報であるＰＯＩ座標情報、又はＰＯＩの住所コードを特定する情報であるＰＯＩ住所コード情報等を含むＰＯＩに関する情報のうちの、少なくともＰＯＩ住所コード情報を含む情報である。なお、「ＰＯＩの名称」とは、ＰＯＩに付されている名称であり、「ＰＯＩのジャンル」とは、ＰＯＩの種別であり、「ＰＯＩの座標」とは、ＰＯＩの経度及び緯度の座標であり、「ＰＯＩの住所コード」とは、ＰＯＩの住所名に対応付けられているコード（例えば、数字又は文字等の情報）である。「ＰＯＩ」とは、地図上において登録された地点であって、端末装置を介さずに予め登録されている地点であり、また、ユーザの関心の対象となる地点であり、例えば、地図上の施設（例えば、工場、レストラン、ガソリンスタンド等）の地点等に対応している。
【００１６】
また、「端末装置」とは、第１センター装置に対して通信可能となっている装置であって、地点検索要求を送信する装置であり、具体的には、車両に搭載される装置である車載用ナビゲーション装置、又は携帯用ナビゲーション装置等を含む概念ある。「地点検索要求」とは、検索対象の地点である検索対象地点を検索するための要求であり、具体的には、検索対象地点としての登録地点、及び検索対象地点としてのＰＯＩを検索するための要求であり、例えば、装置ＩＤ、検索キーワード、検索対象地点の住所名、及び検索対象地点の住所コード等を含む情報のうちの、少なくとも、検索対象地点の住所名、及び検索対象地点の住所コードを含む要求である。ここで、「検索キーワード」とは、検索対象地点を検索するための文字列（又は、１つのみの文字）であり、具体的には、検索対象地点の名称の文字列うちの少なくとも一部に対応する文字列（又は、１つのみの文字）である。
【００１７】
そして、以下に示す実施の形態においては、「登録地点特定情報」が、「装置ＩＤ」、「登録地点名称情報」、「登録地点座標情報」、及び「登録地点住所名情報」を含んでおり、「ＰＯＩ特定情報」が、「ＰＯＩ名称情報」、「ＰＯＩジャンル情報」、「ＰＯＩ座標情報」、及び「ＰＯＩ住所コード情報」を含んでおり、「地点検索要求」が、「装置ＩＤ」、「検索キーワード」、「検索対象地点の住所名」、及び「検索対象地点の住所コード」を含んでおり、「住所」が「都道府県」の階層及び「市区、郡町村」の階層を示しており、「端末装置」が「車載用ナビゲーション装置」である場合について説明する。なお、以下では、車載装置を搭載した車両（車載装置を操作する者が搭乗する車両）を「自車両」と称して説明する。また、「自車両」とは、例えば、四輪自動車、二輪自動車、及び自転車等を含む概念であるが、以下では、自車両が四輪自動車である場合について説明する。
【００１８】
（構成）
まず、本実施の形態に係る案内システム１００について説明する。この案内システム１００は、車載装置１、第１センター装置２、第２センター装置３を備えている。図１は、本発明の実施の形態に係る案内システムを例示するブロック図である。なお、案内システム１００には、実際には、車載装置１以外にも、この車載装置１と同様な構成の他の車載装置が複数含まれているが、以下では、案内システム１００に含まれている車載装置の全体を称する場合には、「案内システム１００の車載装置」と総称し、「案内システム１００の車載装置」における車載装置１以外の車載装置を「他の車載装置」と称して説明する。
【００１９】
（構成−車載装置）
最初に、車載装置１の構成について説明する。図１に示すように、車載装置１は、端末装置であり、概略的に、通信部１１、タッチパッド１２、ディスプレイ１３、スピーカ１４、現在位置検出部１５、記録部１６、及び制御部１７を備えている。
【００２０】
（構成−車載装置−通信部）
通信部１１は、第１センター装置２との間でネットワークを介した通信を行う通信手段である。この通信部１１の具体的な種類や構成は任意であるが、例えば、公知の移動体無線通信手段を用いることができる。
【００２１】
（構成−車載装置−タッチパッド）
タッチパッド１２は、ユーザの指等で押圧されることにより、当該ユーザから各種操作入力を受け付ける操作手段であり、特に、住所名の入力を受け付ける入力手段である。このタッチパッド１２は、透明又は半透明状に形成され、ディスプレイ１３の前面において当該ディスプレイ１３の表示面と重畳するように設けられてタッチパネルとして形成されている。このタッチパッド１２としては、例えば、抵抗膜方式や静電容量方式等による操作位置検出手段を備えた公知のタッチパッドを用いることができる。
【００２２】
（構成−車載装置−ディスプレイ）
ディスプレイ１３は、後述する制御部１７の制御に基づいて各種の画像を表示する表示手段であり、特に、後述する地図情報データベース１６１（以下、データベースを「ＤＢ」と称する）に格納された地図情報に基づいて地図を表示する表示手段である。このディスプレイ１３の具体的な構成は任意であり、例えば、公知の液晶ディスプレイや有機ＥＬディスプレイの如きフラットパネルディスプレイ等を用いることができる。
【００２３】
（構成−車載装置−スピーカ）
スピーカ１４は、後述する制御部１７の制御に基づいて情報を音声にて出力する音声出力手段である。このスピーカ１４から出力される音声の具体的な態様は任意であり、必要に応じて生成された合成音声や、予め録音された音声を出力することができる。
【００２４】
（構成−車載装置−現在位置検出部）
現在位置検出部１５は、車載装置１の現在位置（現在地）を検出する現在位置検出手段である。この現在位置検出部１５は、ＧＰＳ又は地磁気センサ（いずれも図示省略）を有し、現在の車載装置１の位置（座標）及び方位等を公知の方法にて検出する。
【００２５】
（構成−車載装置−記録部）
記録部１６は、車載装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ、ＲＯＭ、ＵＳＢメモリ、ＳＤカードの如き電気的記録媒体を含む、その他の任意の記録媒体を用いることができる。（後述する各種装置の記録部も同様とする）。
【００２６】
また、この記録部１６は、住所情報を格納する住所情報格納手段であり、また、地図情報ＤＢ１６１を備えており、また、自己の装置ＩＤとして「ＩＤ１」を記録している。
【００２７】
「住所情報」とは、住所についての情報であり、具体的には、住所名特定情報と住所コード特定情報とが互いに対応付けられている情報である。ここで、「住所名特定情報」とは、住所の名称を特定する情報であり、具体的には、地図情報ＤＢ１６１の地図情報が特定する地図における住所の名称を特定する情報である。また、「住所コード特定情報」とは、住所コードを特定する情報であり、具体的には、地図情報ＤＢ１６１の地図情報が特定する地図における住所コードを特定する情報である。図２は、住所情報を例示した図である。この図２に示すように、住所情報は、例えば、項目「住所名」、及び項目「住所コード」と、各項目に対応する情報とを、相互に関連付けて構成されている。ここで、項目「住所名」に対応する情報は、住所名特定情報（図２では、「愛知県岡崎市」等）であり、項目「住所コード」に対応する情報は、住所コード特定情報（図２では、５桁の数字であり「２３２０１」等）である。そして、住所情報については、通信部１１を介して不図示の住所情報配信センターの装置との間で通信を行って受け付けたり、Ｆｌａｓｈ、ＲＯＭ、ＵＳＢメモリ、ＳＤカードの如き記録媒体を介して受け付けたりすることにより、記録される。
【００２８】
また、図１の地図情報ＤＢ１６１は、地図情報を格納する地図情報格納手段である。ここで、「地図情報」とは、案内に用いられる地図を特定する情報であり、また、所定の基準単位にて区画される情報であり、道路、道路の交差点、道路構造物、施設等を含む各種の位置の特定に必要な情報であって、例えば、道路上に設定された各ノードに関するノードデータ（例えばノードＩＤ、座標等）や、道路上に設定された各リンクに関するリンクデータ（例えばリンクＩＤ、リンク名、接続ノードＩＤ、道路座標、道路種別（例えば、有料道路、一般道路、高架道路等）、車線数等）、地物データ（例えば信号機、道路標識、ガードレール、施設等）、地形データ等を含んで構成されている。そして、住所情報については、タッチパッド１２を介して所定の操作入力を受け付けることにより、記録される。
【００２９】
（構成−車載装置−制御部）
制御部１７は、車載装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る案内プログラムは、任意の記録媒体又はネットワークを介して車載装置１にインストールされることで、制御部１７の各部を実質的に構成する（後述する各種装置の制御部も同様とする）。
【００３０】
制御部１７は、機能概念的に、送信制御部１７１、及び案内部１７２を備えている。送信制御部１７１は、「検索対象地点の住所名」及び「検索対象地点の住所コード」を含む地点検索要求を送信する送信手段である。また、案内部１７２は、後述する検索部２７２が検索した登録地点及びＰＯＩを、車載装置１において案内する案内手段である。なお、この制御部２７の各部により行われる処理については、後述する。
【００３１】
（構成−第１センター装置）
次に、第１センター装置２の構成について説明する。図１に示すように、第１センター装置２は、「案内システム１００の車載装置」及び第２センター装置３との間で通信を行って、情報の送受信を行う装置であり、概略的に、通信部２１、記録部２６、及び制御部２７を備えている。
【００３２】
（構成−第１センター装置−通信部）
通信部２１は、「案内システム１００の車載装置」及び第２センター装置３との間でネットワークを介した通信を行う通信手段であり、具体的な構成については、通信部１１の構成と同様である。
【００３３】
（構成−第１センター装置−記録部）
記録部２６は、登録地点特定情報ＤＢ２６１を備えている。
【００３４】
登録地点特定情報ＤＢ２６１は、前述の登録地点特定情報を格納する登録地点特定情報格納手段である。図３は、登録地点特定情報を例示した図である。この図３に示すように、登録地点特定情報は、例えば、項目「装置ＩＤ」、項目「名称」、項目「座標」、及び項目「住所名」と、各項目に対応する情報とを、相互に関連付けて構成されている。ここで、項目「装置ＩＤ」に対応する情報は、前述の装置ＩＤ（図３では、「ＩＤ１」、及び「ＩＤ２」等）である。なお、「ＩＤ１」は、前述したように、図１の車載装置１の装置ＩＤを示しており、「ＩＤ２」は、「他の車載装置」の中の１つの車載装置の装置ＩＤを示しているものとして、以下説明する。また、図３の項目「名称」に対応する情報は、前述の登録地点名称情報（図３では、施設の名称であり「ＡＡＡ岡崎工場」等）であり、項目「座標」に対応する情報は、前述の登録地点座標情報（図３では、経度及び緯度の座標であり「Ｘ１、Ｙ１」等）であり、項目「住所名」に対応する情報は、前述の登録地点住所名情報（図３では、施設が設けられている住所であり「愛知県岡崎市」等）である。そして、登録地点特定情報については、以下に示すように、「案内システム１００の車載装置」から図１の第１センター装置２に送信することにより、記録される。具体的には、「案内システム１００の車載装置」が、自己のタッチパッドを介して、登録地点特定情報を登録するための所定の操作入力を受け付けた場合に、受け付けた操作入力に対応する登録地点特定情報を生成し、生成した登録地点特定情報を自己の通信部を介して第１センター装置２に送信し、送信した登録地点特定情報を、第１センター装置２が、通信部２１を介して受信し、受信した登録地点特定情報を登録地点特定情報ＤＢ２６１に記録する。
【００３５】
（構成−第１センター装置−制御部）
図１の制御部２７は、機能概念的に、受信制御部２７１、及び検索部２７２を備えている。受信制御部２７１は、車載装置１の送信制御部１７１が送信した地点検索要求を受信する受信手段である。また、検索部２７２は、受信制御部２７１が受信した地点検索要求に含まれている住所名に基づいて、第１センター装置２の登録地点特定情報ＤＢ２６１が格納している登録地点特定情報を参照して、登録地点を検索する検索手段である。なお、これら制御部２７の各部により行われる処理については、後述する。
【００３６】
（構成−第２センター装置）
次に、第２センター装置３の構成について説明する。図１に示すように、第２センター装置３は、第１センター装置２との間で通信を行って、情報の送受信を行う装置であり、概略的に、通信部３１、記録部３６、及び制御部３７を備えている。
【００３７】
（構成−第２センター装置−通信部）
通信部３１は、第１センター装置２との間でネットワークを介した通信を行う通信手段であり、具体的な構成については、通信部１１の構成と同様である。
【００３８】
（構成−第２センター装置−記録部）
記録部３６は、第２センター装置側地点情報ＤＢ３６１及びポリゴン座標情報ＤＢ３６２を備えている。
【００３９】
第２センター装置側地点情報ＤＢ３６１は、前述のＰＯＩ特定情報に含まれている情報のうちの一部の情報である第２センター装置側地点情報を格納するＰＯＩ特定情報格納手段である。図４は、第２センター装置側地点情報を例示した図である。この図４に示すように、第２センター装置側地点情報は、例えば、項目「名称」、項目「ジャンル」、及び項目「座標」と、各項目に対応する情報とを、相互に関連付けて構成されている。ここで、項目「名称」に対応する情報は、前述のＰＯＩ名称情報（図４では、施設の名称であり「ＡＡＡ岡崎工場」等）であり、項目「ジャンル」に対応する情報は、前述のＰＯＩジャンル情報（図４では、ユーザの検索ニーズに基づく所定の規則によって区分けされた種別であり「工場」、「飲食」等）であり、項目「座標」に対応する情報は、前述のＰＯＩ座標情報（図４では、経度及び緯度の座標であり「Ｘ１、Ｙ１」等）である。そして、第２センター装置側地点情報については、最新のＰＯＩに関する情報を配信するＰＯＩ情報配信センター（不図示）との間で、通信部３１を介して所定期間（例えば、１日、７日等）毎に通信を行うことによって記録するものとして、以下説明する。
【００４０】
また、図１のポリゴン座標情報ＤＢ３６２は、前述のＰＯＩ特定情報に含まれている情報のうちの一部の情報であるポリゴン座標情報を格納するＰＯＩ特定情報格納手段である。図５は、ポリゴン座標情報を例示した図である。この図５に示すように、ポリゴン座標情報は、例えば、項目「住所コード」、及び項目「ポリゴン座標」と、各項目に対応する情報とを、相互に関連付けて構成されている。ここで、項目「住所コード」に対応する情報は、前述のＰＯＩ住所コード情報（図５では、５桁の数値であり「２３２０１」等）である。項目「ポリゴン座標」に対応する情報は、地図上における領域を特定する領域特定情報であり、具体的には、地図上における各住所（実施の形態では、「市区、郡町村」）に対応する領域を多角形にて表した（定義した）場合における、当該多角形の頂点に対応する座標の集合（図５では、経度及び緯度の座標の集合であり「（Ｘ１１、Ｙ１１）、（Ｘ１２、Ｙ１２）・・・」の集合等）である。ここでは、例えば、図５の「（Ｘ１１、Ｙ１１）、（Ｘ１２、Ｙ１２）・・・」の集合（以下、第１集合）が、愛知県岡崎市に対応する領域を示しており、また、「（Ｘ２１、Ｙ２１）、（Ｘ２２、Ｙ２２）・・・」の集合（以下、第２集合）が、愛知県名古屋市に対応する領域を示しており、「（Ｘ３１、Ｙ３１）、（Ｘ３２、Ｙ３２）・・・」の集合（以下、第３集合）が、愛知県豊橋市に対応する領域を示しているものとし、また、図４の項目「座標」＝「Ｘ１、Ｙ１」、「Ｘ２、Ｙ２」、「Ｘ３、Ｙ３」、及び「Ｘ６、Ｙ６」が、第１集合によって定義される領域内の座標であり、項目「座標」＝「Ｘ４、Ｙ４」が、第２集合によって定義される領域内の座標であり、項目「座標」＝「Ｘ５、Ｙ５」が、第３集合によって定義される領域内の座標であるものとして、以下説明する。そして、ポリゴン座標情報については、最新の住所に関する情報を配信する住所情報配信センター（不図示）との間で、通信部３１を介して所定期間（例えば、１日、７日等）毎に通信を行うことによって記録するものとして、以下説明する。
【００４１】
（構成−第２センター装置−制御部）
図１の制御部３７は、機能概念的に、検索部３７１を備えている。検索部３７１は、第１センター装置２の受信制御部２７１が受信した地点検索要求に含まれている住所コードに基づいて、第２センター装置側地点情報ＤＢ３６１が格納している第２センター装置側地点情報、及びポリゴン情報ＤＢ３６２が格納しているポリゴン情報を参照して、ＰＯＩを検索する検索手段である。なお、これら制御部３７の検索部３７１により行われる処理については、後述する。
【００４２】
（処理）
次に、このように構成される案内システム１００によって実行される、案内処理について説明する。図６は、案内処理のフローチャートである（以下の各処理の説明ではステップを「Ｓ」と略記する）。「案内処理」とは、案内する処理であり、具体的には、検索対象地点を案内する処理である。この案内処理を実行するタイミングは任意のタイミングであるが、例えば、図１の車載装置１の電源をオンし、タッチパッド１２を介して所定の操作入力を受け付けたときに起動されて実行するものとし、案内処理が起動された後から説明する。
【００４３】
まず、図６に示すように、ＳＡ１において車載装置１の制御部１７は、検索画面を表示する。ここで、「検索画面」とは、検索対象地点を検索するための画面であり、検索対象地点についての前述の「検索キーワード」及び「絞り込み情報」の入力を求める画面である。「絞り込み情報」とは、検索対象地点を絞り込むための情報であり、具体的には、検索対象地点の住所名である。ＳＡ１について具体的には、「検索キーワード」を入力させるための案内及び入力欄を図１のディスプレイ１３に検索画面として表示し、また、記録部１６に記録されている図２の住所情報を参照して、参照した住所情報から住所名特定情報（つまり、図２の項目「住所名」に対応する情報）を全て取得し、取得した住所名特定情報のリストと「絞り込み情報」を入力させるための案内を図１のディスプレイ１３に検索画面として表示する。ここでは、例えば、「検索キーワード」を入力させるための案内メッセージと入力欄をディスプレイ１３に検索画面として表示し、また、記録部１６に記録されている図２の住所情報を参照して、参照した住所情報から「愛知県岡崎市」、「愛知県名古屋市」、及び「愛知県豊橋市」等を住所名特定情報として取得し、取得した住所名特定情報のリストと「絞り込み情報」を入力させるための案内メッセージを図１のディスプレイ１３に検索画面として表示する。
【００４４】
図６に戻って、ＳＡ２において車載装置１の制御部１７は、検索条件が入力されたか否かを判定する。ここで、「検索条件」とは、検索対象地点を検索するための条件であり、具体的には、前述の「検索キーワード」及び「絞り込み情報」である。ＳＡ２について具体的には、タッチパッド１２を監視して、当該タッチパッド１２を介して、「検索キーワード」及び「絞り込み情報」のうちの少なくとも「検索キーワード」が入力されたか、「検索キーワード」が入力されていないかを判定する。そして、「検索キーワード」及び「絞り込み情報」のうちの「検索キーワード」が入力されていないものと判定した場合、検索条件が入力されていないものと判定し（ＳＡ２のＮＯ）、検索条件が入力されたものと判定するまで、ＳＡ２の処理を繰り返し実行する。また、「検索キーワード」及び「絞り込み情報」のうちの少なくとも「検索キーワード」が入力されたものと判定した場合（つまり、「検索キーワード」及び「絞り込み情報」のうちの「検索キーワード」のみが入力されたものと判定した場合、又は、「検索キーワード」及び「絞り込み情報」の両方が入力されたものと判定した場合）、検索条件が入力されたものと判定し（ＳＡ２のＹＥＳ）、ＳＡ３に移行する。なお、「検索キーワード」及び「絞り込み情報」のうちの「検索キーワード」のみが検索条件として入力された場合には、絞り込みを行わずに検索する従来の処理を適用することができるので、この場合の処理についての詳細の説明については省略し、以下では、「検索キーワード」及び「絞り込み情報」の両方が検索条件として入力される場合について、説明する。ここでは、例えば、ＳＡ１で表示した入力欄に「検索キーワード」＝「ＡＡＡ」を、タッチパッド１２を介して入力し、ＳＡ１で表示したリストから「絞り込み情報」＝「愛知県岡崎市」を、タッチパッド１２を介して選択して入力する場合を、「例示の場合」と称して適宜例示して説明する。ＳＡ２では、例示の場合、検索条件が入力されたものと判定する。
【００４５】
図６に戻って、ＳＡ３において車載装置１の送信制御部１７１は、地点検索要求を送信する。具体的には、まず、ＳＡ２で入力された「絞り込み情報」を「検索対象地点の住所名」として取得した上で、図１の記録部１６の図２の住所情報を参照し、参照した住所情報から前述の取得した「検索対象地点の住所名」に対応する「住所コード特定情報（図２では、項目「住所コード」に対応する情報）」を「検索対象地点の住所コード」として取得し、また、記憶部１６の「装置ＩＤ」を取得する。次に、取得した「装置ＩＤ」、ＳＡ２で入力された「検索キーワード」、取得した「検索対象地点の住所名」、及び取得した「検索対象地点の住所コード」を含む地点検索要求を生成し、生成した地点検索要求を、通信部１１を介して、第１センター装置２に送信する。ここでは、例えば、例示の場合、まず、ＳＡ２で入力された「絞り込み情報」＝「愛知県岡崎市」を「検索対象地点の住所名」として取得した上で、図１の記録部１６の図２の住所情報を参照し、参照した住所情報から前述の取得した「愛知県岡崎市」に対応する「住所コード特定情報」＝「２３２０１」を「検索対象地点の住所コード」として取得し、また、記憶部１６の「装置ＩＤ」＝「ＩＤ１」を取得する。次に、取得した「装置ＩＤ」＝「ＩＤ１」、ＳＡ２で入力された「検索キーワード」＝「ＡＡＡ」、取得した「検索対象地点の住所名」＝「愛知県岡崎市」、及び取得した「検索対象地点の住所コード」＝「２３２０１」を含む地点検索要求を生成し、生成した地点検索要求を、通信部１１を介して、第１センター装置２に送信する。
【００４６】
一方、図６のＳＢ１において第１センター装置２の受信制御部２７１は、地点検索要求を受信する。具体的には、ＳＡ３で送信された地点検索要求を、図１の通信部２１を介して受信する。ここでは、例えば、例示の場合、「装置ＩＤ」＝「ＩＤ１」、「検索キーワード」＝「ＡＡＡ」、「検索対象地点の住所名」＝「愛知県岡崎市」、及び「検索対象地点の住所コード」＝「２３２０１」を含む地点検索要求を受信する。
【００４７】
図６に戻って、ＳＢ２において第１センター装置２の検索部２７２は、登録地点を検索する。具体的には、ＳＢ１で受信した地点検索要求に含まれている「装置ＩＤ」、「検索キーワード」、及び「検索対象地点の住所名」に基づいて、図１の登録地点特定情報ＤＢ２６１の図３の登録地点特定情報を参照し、登録地点を検索する。より具体的には、図３の登録地点特定情報における、項目「装置ＩＤ」に対応する情報と、項目「名称」に対応する情報と、項目「座標」に対応する情報と、及び項目「住所名」に対応する情報との組合せであって図面左右方向に表示されている情報の組合せにおいて、項目「住所名」に対応する情報を参照して、ＳＢ１で受信した地点検索要求の「検索対象地点の住所名」に対応する組合せに絞り込み、この後、絞り込んだ組合せにおいて、ＳＢ１で受信した地点検索要求の「装置ＩＤ」及び「検索キーワード」に対応する組合せを検索する。ここでは、例えば、例示の場合、図３において、ＳＢ１で受信した地点検索要求の「検索対象地点の住所名」＝「愛知県岡崎市」に対応する組合せに絞り込み、この後、絞り込んだ組合せにおいて、ＳＢ１で受信した地点検索要求の「装置ＩＤ」＝「ＩＤ１」及び「検索キーワード」＝「ＡＡＡ」対応する組合せとして、図３の項目「装置ＩＤ」＝「ＩＤ１」、項目「名称」＝「ＡＡＡ岡崎工場」、項目「座標」＝「Ｘ１、Ｙ１」、及び項目「住所名」＝「愛知県岡崎市」からなる組合せ（以下、例示の第１の組合せ）を登録地点として検索する。
【００４８】
図６に戻って、ＳＢ３において第１センター装置２の制御部２７は、ＰＯＩ検索要求を送信する。ここで、「ＰＯＩ検索要求」とは、ＰＯＩを検索するための要求であり、例えば、「検索キーワード」、及び「検索対象地点の住所コード」を含む要求である。ＳＢ３について具体的には、ＳＢ１で受信した地点検索要求から「検索キーワード」、及び「検索対象地点の住所コード」を取得し、取得した「検索キーワード」、及び「検索対象地点の住所コード」を含むＰＯＩ検索要求を生成し、生成したＰＯＩ検索要求を、通信部２１を介して、第２センター装置３に送信する。ここでは、例えば、例示の場合、ＳＢ２で取得した地点検索要求から「検索キーワード」＝「ＡＡＡ」、及び「検索対象地点の住所コード」＝「２３２０１」を取得し、取得した「検索キーワード」＝「ＡＡＡ」、及び「検索対象地点の住所コード」＝「２３２０１」を含むＰＯＩ検索要求を生成し、生成したＰＯＩ検索要求を、通信部２１を介して、第２センター装置３に送信する。
【００４９】
一方、図６のＳＣ１において第２センター装置３の制御部３７は、ＰＯＩ検索要求を受信する。具体的には、ＳＢ３で送信されたＰＯＩ検索要求を、図１の通信部３１を介して受信する。ここでは、例えば、例示の場合、「検索キーワード」＝「ＡＡＡ」、及び「検索対象地点の住所コード」＝「２３２０１」を含むＰＯＩ検索要求を受信する。
【００５０】
図６に戻って、ＳＣ２において第２センター装置３の検索部３７１は、ＰＯＩを検索する。具体的には、ＳＣ１で受信したＰＯＩ検索要求に含まれている「検索キーワード」、及び「検索対象地点の住所コード」に基づいて、図１の第２センター装置側地点情報ＤＢ３６１の図４の第２センター装置側地点情報、及び図１のポリゴン座標情報ＤＢ３６２の図５のポリゴン座標情報を参照し、ＰＯＩを検索する。より具体的には、まず、ＳＣ１で受信したＰＯＩ検索要求の「検索対象地点の住所コード」を「ＰＯＩ住所コード情報」として取得した上で、図５のポリゴン座標情報を参照し、参照したポリゴン座標情報から前述の取得した「ＰＯＩ住所コード情報」に対応する、図５の項目「ポリゴン座標」の情報を取得する。次に、図４の第２センター装置側地点情報における、項目「名称」に対応する情報と、項目「ジャンル」に対応する情報と、項目「座標」に対応する情報との組合せであって図面左右方向に表示されている情報の組合せにおいて、項目「座標」に対応する情報を参照して、前述の取得した項目「ポリゴン座標」の情報が特定する多角形の領域に含まれる組合せに絞り込み、この後、絞り込んだ組合せにおいて、ＳＣ１で受信したＰＯＩ検索要求の「検索キーワード」に対応する組合せを検索する。ここでは、例えば、例示の場合、まず、ＳＣ１で受信したＰＯＩ検索要求の「検索対象地点の住所コード」＝「２３２０１」を「ＰＯＩ住所コード情報」として取得した上で、図５のポリゴン座標情報を参照し、参照したポリゴン座標情報から前述の取得した「ＰＯＩ住所コード情報」＝「２３２０１」に対応する、図５の項目「ポリゴン座標」＝「（Ｘ１１、Ｙ１１）、（Ｘ１２、Ｙ１２）・・・」を取得する。次に、図４において、取得した図５の項目「ポリゴン座標」＝「（Ｘ１１、Ｙ１１）、（Ｘ１２、Ｙ１２）・・・」特定する多角形の領域に含まれる組合せ（具体的には、図４の項目「座標」＝「Ｘ１、Ｙ１」の組合せ、図４の項目「座標」＝「Ｘ２、Ｙ２」の組合せ、図４の項目「座標」＝「Ｘ３、Ｙ３」の組合せ、図４の項目「座標」＝「Ｘ６、Ｙ６」の組合せ）に絞り込み、この後、絞り込んだ組合せにおいて、ＳＣ１で受信したＰＯＩ検索要求の「検索キーワード」＝「ＡＡＡ」と一致する組合せとして、図４の項目「名称」＝「ＡＡＡ岡崎工場」、図４の項目「ジャンル」＝「工場」、及び図４の項目「座標」＝「Ｘ１、Ｙ１」からなる組合せ（以下、例示の第２の組合せ）をＰＯＩとして検索する。
【００５１】
図６に戻って、ＳＣ３において第２センター装置３の制御部３７は、ＰＯＩ検索要求に対する応答であるＰＯＩ応答を送信する。具体的には、ＳＣ２での検索結果を含むＰＯＩ応答を生成し、生成したＰＯＩ応答を、通信部３１を介して、第１センター装置２に送信する。ここでは、例えば、例示の場合、「例示の第２の組合せ」を含むＰＯＩ応答を生成し、生成したＰＯＩ応答を、通信部３１を介して、第１センター装置２に送信する。
【００５２】
一方、図６のＳＢ４において第１センター装置２の制御部２７は、ＰＯＩ応答を受信する。具体的には、ＳＣ３で送信されたＰＯＩ応答を、図１の通信部２１を介して受信する。ここでは、例えば、例示の場合、「例示の第２の組合せ」を含むＰＯＩ応答を、通信部２１を介して受信する。
【００５３】
図６に戻って、ＳＢ５において第１センター装置２の制御部２７は、地点検索要求に対する応答である地点応答を送信する。具体的には、ＳＢ２で検索した登録地点の情報についての組合せ、及び、ＳＢ４で受信したＰＯＩ応答に含まれているＰＯＩの情報についての組合せを取得し、また、ＳＢ１で受信した地点検索要求に含まれている「装置ＩＤ」を取得し、取得した「登録地点の情報についての組合せ」、取得した「ＰＯＩの情報についての組合せ」、及び取得した「装置ＩＤ」を含む含む地点応答を生成し、生成した地点応答を、通信部２１を介して、車載装置１に送信する。ここでは、例えば、「ＳＢ２で検索した登録地点の情報についての組合せ」＝「例示の第１の組合せ」、及び、「ＳＢ４で受信したＰＯＩ応答に含まれているＰＯＩの情報についての組合せ」＝「例示の第２の組合せ」を取得し、また、ＳＢ１で受信した地点検索要求に含まれている「装置ＩＤ」＝「ＩＤ１」を取得し、取得した「例示の第１の組合せ」、取得した「例示の第２の組合せ」、及び取得した「ＩＤ１」を含む含む地点応答（以下、例示の地点応答）を生成し、生成した「例示の地点応答」を、通信部２１を介して、車載装置１に送信する。
【００５４】
一方、図６のＳＡ４において車載装置１の制御部１７は、地点応答を受信する。具体的には、ＳＢ５で送信された地点応答を、図１の通信部１１を介して受信し、受信した地点応答に含まれている「装置ＩＤ」を取得し、取得した「装置ＩＤ」と記録部１６の「装置ＩＤ」とを比較し、これらの「装置ＩＤ」が一致しているか否かを判定し、一致している場合に、前述の受信した地点応答を受け付ける。ここでは、例えば、例示の場合、「例示の地点応答」を、通信部１１を介して受信し、受信した「例示の地点応答」に含まれている「装置ＩＤ」＝「ＩＤ１」を取得し、取得した「装置ＩＤ」＝「ＩＤ１」と記録部１６の「装置ＩＤ」＝「ＩＤ１」とを比較し、これらの「装置ＩＤ」が一致しているか否かを判定し、一致しているので、前述の受信した「例示の地点応答」を受け付ける。
【００５５】
図６に戻って、ＳＡ５において車載装置１の案内部１７２は、検索対象地点としての登録地点及びＰＯＩを案内する。具体的には、ＳＡ４で受信して受け付けた地点応答に基づいて、登録地点及びＰＯＩを、ディスプレイ１３又はスピーカ１４を介して案内する。なお、登録地点及びＰＯＩを案内する案内手法については任意であるが、ここでは、例えば、以下に示すように案内するものとする。具体的には、ＳＡ４で受信して受け付けた地点応答から、登録地点名称情報（つまり、図３の項目「名称」に対応する情報）、及び登録地点座標情報（つまり、図３の項目「座標」に対応する情報）を取得した上で、取得した登録地点座標情報及び図１の地図情報ＤＢ１６１の地図情報に基づいて、当該地図情報が特定する地図上における登録地点の位置を特定し、地図上における特定した位置が登録地点であること、及び当該登録地点が前述の取得した登録地点名称情報の名称であること等を、ディスプレイ１３又はスピーカ１４を介して出力することにより案内する。更に、ＳＡ４で受信して受け付けた地点応答から、ＰＯＩ名称情報（つまり、図４の項目「名称」に対応する情報）、ＰＯＩジャンル情報（つまり、図４の項目「ジャンル」に対応する情報）、及びＰＯＩ座標情報（つまり、図４の項目「座標」に対応する情報）を取得した上で、取得したＰＯＩ座標情報及び図１の地図情報ＤＢ１６１の地図情報に基づいて、当該地図情報が特定する地図上におけるＰＯＩの位置を特定し、地図上における特定した位置がＰＯＩであること、当該ＰＯＩが前述の取得したＰＯＩ名称情報の名称であること、及び当該ＰＯＩが前述の取得したＰＯＩジャンル情報のジャンルであること等も、ディスプレイ１３又はスピーカ１４を介して出力することにより案内する。ここでは、例えば、ＳＡ４で受信して受け付けた「例示の地点応答」から図３の項目「名称」＝「ＡＡＡ岡崎工場」、及び、図３の項目「座標」＝「Ｘ１、Ｙ１」を取得した上で、図１の地図情報ＤＢ１６１の地図情報が特定する地図における、経度及び緯度の座標である「Ｘ１、Ｙ１」が登録地点であること、及び登録地点の名称が「ＡＡＡ岡崎工場」であることを案内し、更に、「例示の地点応答」から図４の項目「名称」＝「ＡＡＡ岡崎工場」、図４の項目「ジャンル」＝「工場」、及び、図３の項目「座標」＝「Ｘ１、Ｙ１」を取得した上で、図１の地図情報ＤＢ１６１の地図情報が特定する地図における、経度及び緯度の座標である「Ｘ１、Ｙ１」がＰＯＩであること、ＰＯＩのジャンルが「工場」であること、及びＰＯＩの名称が「ＡＡＡ岡崎工場」であることを案内する。これにて、案内処理を終了する。
【００５６】
（実施の形態の効果）
このように本実施の形態によれば、地点検索要求に含まれている住所名に基づいて、第１センター装置２の登録地点特定情報ＤＢ２６１が格納している登録地点特定情報を参照して、登録地点を検索し、且つ、地点検索要求に含まれている住所コードに基づいて、第２センター装置３の第２センター装置側地点情報ＤＢ３６１の第２センター装置側地点情報及びポリゴン座標情報ＤＢ３６２のポリゴン座標情報を参照して、ＰＯＩを検索することから、例えば、地点探索要求に含まれている情報を直接的に利用して登録地点及びＰＯＩを検索することができるので、地点検索要求に含まれる情報を変換するための装置が不要となり、案内システム１００のリソースを低減することができる。
【００５７】
また、ＰＯＩと、車載装置１の送信制御部１７１が送信した地点検索要求に含まれている装置ＩＤが識別する車載装置１のユーザに対応する登録地点と、を検索することから、例えば、ＰＯＩとユーザ毎の登録地点とを案内することができるので、ユーザのニーズに沿った適切な情報を案内することができる。
【００５８】
また、車載装置１のタッチパッド１２が受け付けた住所名に対応する住所コードを特定し、特定した住所コードとタッチパッド１２が受け付けた住所名とを含む地点検索要求を生成し、生成した地点検索要求を送信することから、例えば、ユーザが住所コードを入力する手間を省略することができるので、案内システム１００の利便性を向上させることができる。
【００５９】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００６０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、本発明に係る案内システムを用いて実現されるリソースの低減量が従来と同程度であっても、従来と異なる構造により従来と同程度のリソースの低減量を有している場合には、本願発明の課題は解決されている。
【００６１】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、車載装置１の送信制御部１７１及び案内部１７２、第１センター装置２の受信制御部２７１及び検索部２７２、及び第２センター装置３の検索部３７１を、車載装置１、第１センター装置２、又は第２センター装置３のうちの任意の装置に設けてもよい。
【００６２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６３】
（地点検索要求の住所コードについて）
また、上記実施の形態では、図６のＳＡ３において、図２の住所情報を参照して、地点検索要求に含まれる「検索対象地点の住所コード」を、自動的に取得する場合について説明したが、これに限らない。例えば、入力するべき住所コードのリストを、図１の車載装置１のディスプレイ１３に表示した上で、タッチパッド１２を介して、当該リストから住所コードを選択して、選択した住所コードが車載装置１に入力されるように構成した上で、入力された住所コードを「検索対象地点の住所コード」として取得してもよい。このように構成した場合、図２の住所情報を省略することができるために、案内システム１００のリソースを更に低減させることができる。
【００６４】
（ＰＯＩ特定情報について）
また、上記実施の形態では、ＰＯＩ特定情報を、図４の第２センター装置側地点情報及び図５のポリゴン座標情報として、分散して格納する場合について説明したが、これに限らない。例えば、これらの情報を統合して、１つのデータベースに格納してもよい。
【００６５】
（通信について）
また、上記実施の形態では、図１の車載装置１と第２センター装置３とが、第１センター装置２を介して互いに通信する場合について説明したが、これに限らない。例えば、車載装置１が、第１センター装置２及び第２センター装置３との間で直接通信するように構成した上で、当該車載装置１が、第１センター装置２から登録地点についての情報を直接取得し、第２センター装置３からＰＯＩについての情報を直接取得してもよい。
【００６６】
〔実施の形態の特徴と効果の一部〕
最後に、これまでに説明した実施の形態の特徴と効果の一部を、以下に例示する。ただし、実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【００６７】
実施の形態の１つの側面１に係る案内システムは、第１センター装置と、第２センター装置と、端末装置とを備える案内システムであって、前記第１センター装置は、地図上の登録地点を特定する情報であって、少なくとも前記登録地点の住所名を含む情報である登録地点特定情報を格納する登録地点特定情報格納手段、を備え、前記第２センター装置は、地図上のＰＯＩを特定する情報であって、少なくともＰＯＩの住所コードを含む情報であるＰＯＩ特定情報を格納するＰＯＩ特定情報格納手段、を備え、前記端末装置は、前記登録地点及び前記ＰＯＩを検索する要求である地点検索要求であって、少なくとも住所名及び住所コードを含む地点検索要求を送信する送信手段、を備え、前記案内システムは、前記端末装置の前記送信手段が送信した前記地点検索要求を受信する受信手段と、前記受信手段が受信した前記地点検索要求に含まれている住所名に基づいて、前記第１センター装置の前記登録地点特定情報格納手段が格納している前記登録地点特定情報を参照して、前記登録地点を検索し、且つ、前記受信手段が受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索手段と、前記検索手段が検索した前記登録地点及び前記ＰＯＩを、前記端末装置において案内する案内手段とを備える。
【００６８】
上記側面１に係る案内システムによれば、地点検索要求に含まれている住所名に基づいて、第１センター装置の登録地点特定情報格納手段が格納している登録地点特定情報を参照して、登録地点を検索し、且つ、受信手段が受信した地点検索要求に含まれている住所コードに基づいて、第２センター装置のＰＯＩ特定情報格納手段が格納しているＰＯＩ特定情報を参照して、ＰＯＩを検索することから、例えば、地点探索要求に含まれている情報を直接的に利用して登録地点及びＰＯＩを検索することができるので、地点検索要求に含まれる情報を変換するための装置が不要となり、案内システムのリソースを低減することができる。
【００６９】
実施の形態の他の側面２に係る案内システムは、上記側面１に係る案内システムにおいて、前記第１センター装置の前記登録地点特定情報格納手段は、前記端末装置の各ユーザに対応する前記登録地点を特定する情報と、前記端末装置を識別するための装置識別情報と、を関連付けて前記登録地点特定情報として格納し、前記端末装置の前記送信手段は、前記装置識別情報を更に含む前記地点検索要求を送信し、前記案内システムの前記検索手段は、前記ＰＯＩと、前記端末装置の前記送信手段が送信した前記地点検索要求に含まれている前記装置識別情報が識別する前記端末装置のユーザに対応する前記登録地点と、を検索する。
【００７０】
上記側面２に係る案内システムによれば、ＰＯＩと、端末装置の送信手段が送信した地点検索要求に含まれている装置識別情報が識別する端末装置のユーザに対応する登録地点と、を検索することから、例えば、ＰＯＩとユーザ毎の登録地点とを案内することができるので、ユーザのニーズに沿った適切な情報を案内することができる。
【００７１】
実施の形態の他の側面３に係る案内システムは、上記側面１又は２に係る案内システムにおいて、前記端末装置は、地図上の住所名を特定する住所名特定情報と地図上の住所コードを特定する住所コード特定情報とを互いに対応付けて格納する住所情報格納手段と、住所名の入力を受け付ける入力手段と、を備え、前記端末装置の前記送信手段は、前記端末装置の前記住所情報格納手段が格納している前記住所情報に基づいて、前記入力手段が受け付けた住所名に対応する住所コードを特定し、特定した住所コードと前記入力手段が受け付けた住所名とを含む前記地点検索要求を生成し、生成した前記地点検索要求を送信する。
【００７２】
上記側面３に係る案内システムによれば、入力手段が受け付けた住所名に対応する住所コードを特定し、特定した住所コードと入力手段が受け付けた住所名とを含む地点検索要求を生成し、生成した地点検索要求を送信することから、例えば、ユーザが住所コードを入力する手間を省略することができるので、案内システムの利便性を向上させることができる。
【００７３】
実施の形態の他の側面４に係る案内方法は、第１センター装置と、第２センター装置と、端末装置とを備える案内システムの案内方法であり、前記第１センター装置は、地図上の登録地点を特定する情報であって、少なくとも前記登録地点の住所名を含む情報である登録地点特定情報を格納する登録地点特定情報格納手段、を備え、前記第２センター装置は、地図上のＰＯＩを特定する情報であって、少なくともＰＯＩの住所コードを含む情報であるＰＯＩ特定情報を格納するＰＯＩ特定情報格納手段、を備え、前記端末装置は、前記登録地点及び前記ＰＯＩを検索する要求である地点検索要求であって、少なくとも住所名及び住所コードを含む地点検索要求を送信する送信手段、を備える案内方法であって、受信手段が、前記端末装置の前記送信手段が送信した前記地点検索要求を受信する受信ステップと、検索手段が、前記受信ステップにおいて受信した前記地点検索要求に含まれている住所名に基づいて、前記第１センター装置の前記登録地点特定情報格納手段が格納している前記登録地点特定情報を参照して、前記登録地点を検索し、且つ、前記受信ステップにおいて受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索ステップと、案内手段が、前記検索ステップにおいて検索した前記登録地点及び前記ＰＯＩを、前記端末装置において案内ステップとを含む。
【００７４】
上記側面４に係る案内方法によれば、地点検索要求に含まれている住所名に基づいて、第１センター装置の登録地点特定情報格納手段が格納している登録地点特定情報を参照して、登録地点を検索し、且つ、受信手段が受信した地点検索要求に含まれている住所コードに基づいて、第２センター装置のＰＯＩ特定情報格納手段が格納しているＰＯＩ特定情報を参照して、ＰＯＩを検索することから、例えば、地点探索要求に含まれている情報を直接的に利用して登録地点及びＰＯＩを検索することができるので、地点検索要求に含まれる情報を変換するための装置が不要となり、案内システムのリソースを低減することができる。
【００７５】
実施の形態の他の側面５に係る案内プログラムは、第１センター装置と、第２センター装置と、端末装置とを備える案内システムの案内プログラムであり、前記第１センター装置は、地図上の登録地点を特定する情報であって、少なくとも前記登録地点の住所名を含む情報である登録地点特定情報を格納する登録地点特定情報格納手段、を備え、前記第２センター装置は、地図上のＰＯＩを特定する情報であって、少なくともＰＯＩの住所コードを含む情報であるＰＯＩ特定情報を格納するＰＯＩ特定情報格納手段、を備え、前記端末装置は、前記登録地点及び前記ＰＯＩを検索する要求である地点検索要求であって、少なくとも住所名及び住所コードを含む地点検索要求を送信する送信手段、を備え、コンピュータを、前記端末装置の前記送信手段が送信した前記地点検索要求を受信する受信手段と、前記受信手段が受信した前記地点検索要求に含まれている住所名に基づいて、前記第１センター装置の前記登録地点特定情報格納手段が格納している前記登録地点特定情報を参照して、前記登録地点を検索し、且つ、前記受信手段が受信した前記地点検索要求に含まれている住所コードに基づいて、前記第２センター装置の前記ＰＯＩ特定情報格納手段が格納している前記ＰＯＩ特定情報を参照して、前記ＰＯＩを検索する検索手段と、前記検索手段が検索した前記登録地点及び前記ＰＯＩを、前記端末装置において案内する案内手段と、として機能させる。
【００７６】
上記側面５に係る案内プログラムによれば、地点検索要求に含まれている住所名に基づいて、第１センター装置の登録地点特定情報格納手段が格納している登録地点特定情報を参照して、登録地点を検索し、且つ、受信手段が受信した地点検索要求に含まれている住所コードに基づいて、第２センター装置のＰＯＩ特定情報格納手段が格納しているＰＯＩ特定情報を参照して、ＰＯＩを検索することから、例えば、地点探索要求に含まれている情報を直接的に利用して登録地点及びＰＯＩを検索することができるので、地点検索要求に含まれる情報を変換するための装置が不要となり、案内システムのリソースを低減することができる。
【符号の説明】
【００７７】
１  車載装置
２  第１センター装置
３  第２センター装置
１１  通信部
１２  タッチパッド
１３  ディスプレイ
１４  スピーカ
１５  現在位置検出部
１６  記録部
１７  制御部
２１  通信部
２６  記録部
２７  制御部
３１  通信部
３６  記録部
３７  制御部
１００  案内システム
１６１  地図情報ＤＢ
１７１  送信制御部
１７２  案内部
２６１  登録地点特定情報ＤＢ
２７１  受信制御部
２７２  検索部
３６１  第２センター装置側地点情報ＤＢ
３６２  ポリゴン座標情報ＤＢ
３７１  検索部
【図１】
0006588839.tif 000002
【図２】
0006588839.tif 000003
【図３】
0006588839.tif 000004
【図４】
0006588839.tif 000005
【図５】
0006588839.tif 000006
【図６】
0006588839.tif 000007